(57)【要約】ブラウザに含まれたグラフィックを表示する装置及び方法を提供する。相異なる縦横比で表示されるブラウザに含まれるブラウザグラフィックであり、相異なる縦横比を有するブラウザグラフィックである縦横比別のブラウザグラフィックを保存するブラウザグラフィック保存部、縦横比情報が含まれた初期化ファイルを保存する初期化ファイル保存部、初期化ファイル保存部に保存された初期化ファイルを解釈して、縦横比情報を抽出する縦横比情報抽出部、ブラウザグラフィック保存部に保存された縦横比別のブラウザグラフィックのうち、縦横比情報抽出部で抽出された縦横比情報に該当するブラウザグラフィックを選択するブラウザグラフィック選択部、及びブラウザグラフィック選択部で選択されたブラウザグラフィックを表示するブラウザグラフィック表示部から構成される縦横比別のブラウザグラフィック表示装置である。これにより、多様な縦横比を有するブラウザグラフィックを提供することによって、ブラウザグラフィックの歪曲を防止して、コンテンツ製作者の意図、ユーザーの意図、または再生装置の特性に符合するブラウザを表示可能にする。
2006519435.tif 000002
【特許請求の範囲】
【請求項１】
相異なる縦横比で表示されるブラウザに含まれるブラウザグラフィックであり、前記相異なる縦横比を有するブラウザグラフィックである縦横比別のブラウザグラフィックを保存するブラウザグラフィック保存部と、
所定の縦横比情報が含まれた初期化ファイルを保存する初期化ファイル保存部と、
前記初期化ファイル保存部に保存された初期化ファイルを解釈して、前記縦横比情報を抽出する縦横比情報抽出部と、
前記ブラウザグラフィック保存部に保存された縦横比別のブラウザグラフィックのうち、前記縦横比情報抽出部で抽出された縦横比情報に該当するブラウザグラフィックを選択するブラウザグラフィック選択部と、
前記ブラウザグラフィック選択部で選択されたブラウザグラフィックを表示するブラウザグラフィック表示部とを備えることを特徴とする縦横比別のブラウザグラフィック表示装置。
【請求項２】
前記ブラウザは、所定の対話形コンテンツをブラウジングするブラウザであり、前記初期化ファイルは、前記対話形コンテンツの再生環境情報を含む初期化ファイルであることを特徴とする請求項１に記載の縦横比別のブラウザグラフィック表示装置。
【請求項３】
ユーザーから前記対話形コンテンツに対する再生命令を受信する再生命令受信部を備え、
前記縦横比情報抽出部は、前記再生命令受信部で再生命令が受信された場合、前記対話形コンテンツが再生される前に、前記保存された初期化ファイルを解釈して、前記縦横比情報を抽出することを特徴とする請求項２に記載の縦横比別のブラウザグラフィック表示装置。
【請求項４】
前記初期化ファイルは、マークアップ文書ファイルであることを特徴とする請求項２に記載の縦横比別のブラウザグラフィック表示装置。
【請求項５】
前記初期化ファイル保存部は、前記縦横比情報がメタタグの形式で、新たに定義されたタグの形式で、新たに定義された属性の形式で、またはスクリプトの形式で含まれたマークアップ文書ファイルを保存することを特徴とする請求項４に記載の縦横比別のブラウザグラフィック表示装置。
【請求項６】
前記初期化ファイル保存部は、前記対話形コンテンツを製作した製作者により設定された縦横比情報がデフォールトとして含まれた初期化ファイルを保存することを特徴とする請求項２に記載の縦横比別のブラウザグラフィック表示装置。
【請求項７】
前記対話形コンテンツを使用しようとするユーザーから、前記縦横比情報を受信する縦横比情報受信部と、
前記縦横比情報受信部で受信された縦横比情報を含んで、前記初期化ファイルを完成する初期化ファイル完成部とを備え、
前記初期化ファイル保存部は、前記初期化ファイル完成部で完成された初期化ファイルを保存することを特徴とする請求項２に記載の縦横比別のブラウザグラフィック表示装置。
【請求項８】
前記対話形コンテンツを再生しようとする再生装置から、プラグアンドプレイ方式に前記縦横比情報を受信する縦横比情報受信部と、
前記縦横比情報受信部で受信された縦横比情報を含んで、前記初期化ファイルを完成する初期化ファイル完成部とを備え、
前記初期化ファイル保存部は、前記初期化ファイル完成部で完成された初期化ファイルを保存することを特徴とする請求項２に記載の縦横比別のブラウザグラフィック表示装置。
【請求項９】
（ａ）相異なる縦横比で表示されるブラウザに含まれるブラウザグラフィックであり、前記相異なる縦横比を有するブラウザグラフィックである縦横比別のブラウザグラフィックを保存するステップと、
（ｂ）所定の縦横比情報が含まれた初期化ファイルを保存するステップと、
（ｃ）前記（ｂ）ステップで保存された初期化ファイルを解釈して、前記縦横比情報を抽出するステップと、
（ｄ）前記（ｃ）ステップで保存された縦横比別のブラウザグラフィックのうち、前記（ｃ）ステップで抽出された縦横比情報に該当するブラウザグラフィックを選択するステップと、
（ｅ）前記（ｄ）ステップで選択されたブラウザグラフィックを表示するステップとを含むことを特徴とする縦横比別のブラウザグラフィック表示方法。
【請求項１０】
前記ブラウザは、所定の対話形コンテンツをブラウジングするブラウザであり、前記初期化ファイルは、前記対話形コンテンツの再生環境情報を含む初期化ファイルであることを特徴とする請求項９に記載の縦横比別のブラウザグラフィック表示方法。
【請求項１１】
（ｃ−１）ユーザーから前記対話形コンテンツに対する再生命令を受信するステップを含み、
（ｃ）ステップは、前記（ｃ−１）ステップで再生命令が受信された場合、前記対話形コンテンツが再生される前に、前記保存された初期化ファイルを解釈して、前記縦横比情報を抽出することを特徴とする請求項１０に記載の縦横比別のブラウザグラフィック表示方法。
【請求項１２】
前記初期化ファイルは、マークアップ文書ファイルであることを特徴とする請求項１０に記載の縦横比別のブラウザグラフィック表示方法。
【請求項１３】
前記（ｂ）ステップは、前記縦横比情報がメタタグの形式で、新たに定義されたタグの形式で、新たに定義された属性の形式で、またはスクリプトの形式で含まれたマークアップ文書ファイルを保存することを特徴とする請求項１２に記載の縦横比別のブラウザグラフィック表示方法。
【請求項１４】
前記（ｂ）ステップは、前記対話形コンテンツを製作した製作者により設定された縦横比情報がデフォールトとして含まれた初期化ファイルを保存することを特徴とする請求項１０に記載の縦横比別のブラウザグラフィック表示方法。
【請求項１５】
（ｂ−２）前記対話形コンテンツを使用しようとするユーザーから、前記縦横比情報を受信するステップと、
（ｂ−１）前記（ｂ−２）ステップで受信された縦横比情報を含んで、前記初期化ファイルを完成するステップとを含み、
前記（ｂ）ステップは、前記（ｂ−１）ステップで完成された初期化ファイルを保存することを特徴とする請求項１０に記載の縦横比別のブラウザグラフィック表示方法。
【請求項１６】
（ｂ−２）前記対話形コンテンツを再生しようとする再生装置から、プラグアンドプレイ方式に前記縦横比情報を受信するステップと、
（ｂ−１）前記（ｂ−２）ステップで受信された縦横比情報を含んで、前記初期化ファイルを完成するステップとを含み、
前記（ｂ）ステップは、前記（ｂ−１）ステップで完成された初期化ファイルを保存することを特徴とする請求項１０に記載の縦横比別のブラウザグラフィック表示方法。
【請求項１７】
（ａ）相異なる縦横比で表示されるブラウザに含まれるブラウザグラフィックであり、前記相異なる縦横比を有するブラウザグラフィックである縦横比別のブラウザグラフィックを保存するステップと、
（ｂ）所定の縦横比情報が含まれた初期化ファイルを保存するステップと、
（ｃ）前記（ｂ）ステップで保存された初期化ファイルを解釈して、前記縦横比情報を抽出するステップと、
（ｄ）前記（ｃ）ステップで保存された縦横比別のブラウザグラフィックのうち、前記（ｃ）ステップで抽出された縦横比情報に該当するブラウザグラフィックを選択するステップと、
（ｅ）前記（ｄ）ステップで選択されたブラウザグラフィックを表示するステップとを含むことを特徴とする縦横比別のブラウザグラフィック表示方法をコンピュータで実行させるためのプログラムを記録したコンピュータで読み取り可能な記録媒体。
【請求項１８】
ブラウザグラフィックを表示する装置タイプによって、前記ブラウザグラフィックの表示縦横比を選択することによって、ブラウザのブラウザグラフィックを表示するステップを含むことを特徴とする方法。
【請求項１９】
再生装置を制御するインタラクティブデジタルビデオディスクにおいて、
マルチメディアデータと、
前記マルチメディアデータに関連したインタラクティブコンテンツマークアップ文書と、
前記インタラクティブコンテンツを再生するために、前記インタラクティブコンテンツをブラウジングするブラウザのブラウザグラフィックを制御するブラウザグラフィック縦横比情報とを備えることを特徴とするディスク。
【発明の詳細な説明】
【技術分野】
【０００１】
本発明は、ブラウザに含まれたグラフィックを表示する装置及び方法に関する。
【背景技術】
【０００２】
インターネット基盤で使われる従来の色々なブラウザ（例えば、エクスプローラ、ネットスケープ等）は、マークアップ文書の製作者が直接表示様式を決定できないブラウザグラフィックを有していた。ブラウザグラフィックとは、ブラウザに含まれたグラフィックであって、例えば、マークアップ言語の一種であるＨＴＭＬ（ハイパーテキストマークアップランゲージ）の入力様式である＜ｆｏｒｍ＞タグで具現されるｓｕｂｍｉｔボタン、ｒｅｓｅｔボタン、ｃｈｅｃｋｂｏｘ、ｒａｄｉｏボタンなどをいう。基本的に、このような要素の形態及びサイズは、ブラウザ別にそれぞれのスタイルを有するが、１ｘ１基盤の縦横比を有して製作されているという共通点がある。したがって、このような要素は、基本的に１ｘ１縦横比を有するＰＣモニタでは、正しい形態に表示されるが、１ｘ１でない縦横比を有する他の再生装置（例えば、ＴＶ）を通じて出力される場合、その形態が歪曲されて表示されるという問題点があった。
【０００３】
現在、ＡＶ（オーディオビジュアル）データをインタラクティブモードに表示できるＤＶＤであるインタラクティブＤＶＤが販売されている。インタラクティブＤＶＤには、従来のＤＶＤ映像規格によって、ＡＶデータが記録されている一方、インタラクティブ機能を支援するためのマークアップ文書と関連したリソースがさらに記録されている。このようなインタラクティブＤＶＤは、前述したように、ＤＶＤ映像と共に、マークアップ文書により表示される色々な要素が共に画面に表示されるが、このような表示を可能にするためには、従来のインターネットで使用するブラウザのように、インタラクティブＤＶＤ転用のブラウザが必要である。基本的に、インタラクティブＤＶＤ転用のブラウザも、現在インターネットブラウザで使用する多様なマークアップタグを支援するため、このブラウザも、自体的に提供するグラフィック要素を含んでいる。しかし、インタラクティブＤＶＤ用のブラウザは、従来のブラウザと異なり、再生環境が多様な縦横比を有した再生装置となることができるので、ブラウザグラフィックが従来のように１ｘ１縦横比のみで製作されれば、多様な縦横比を有した再生装置に表示されるとき、画面歪曲を避けられなくなるという問題点があった。
【発明の開示】
【発明が解決しようとする課題】
【０００４】
本発明が解決しようとする課題は、多様な縦横比を有する再生装置で画面の歪曲なしに、ブラウザグラフィックを表示する装置及び方法を提供するところにある。
【課題を解決するための手段】
【０００５】
前記課題を解決するための本発明による縦横比別のブラウザグラフィック表示装置は、相異なる縦横比で表示されるブラウザに含まれるブラウザグラフィックであり、前記相異なる縦横比を有するブラウザグラフィックである縦横比別のブラウザグラフィックを保存するブラウザグラフィック保存部、所定の縦横比情報が含まれた初期化ファイルを保存する初期化ファイル保存部、前記初期化ファイル保存部に保存された初期化ファイルを解釈して、前記縦横比情報を抽出する縦横比情報抽出部、前記ブラウザグラフィック保存部に保存された縦横比別のブラウザグラフィックのうち、前記縦横比情報抽出部で抽出された縦横比情報に該当するブラウザグラフィックを選択するブラウザグラフィック選択部、及び前記ブラウザグラフィック選択部で選択されたブラウザグラフィックを表示するブラウザグラフィック表示部から構成される。
【０００６】
前記課題を解決するための本発明による縦横比別のブラウザグラフィック表示方法は、（ａ）相異なる縦横比で表示されるブラウザに含まれるブラウザグラフィックであり、前記相異なる縦横比を有するブラウザグラフィックである縦横比別のブラウザグラフィックを保存するステップ、（ｂ）所定の縦横比情報が含まれた初期化ファイルを保存するステップ、（ｃ）前記（ｂ）ステップで保存された初期化ファイルを解釈して、前記縦横比情報を抽出するステップ、（ｄ）前記（ｃ）ステップで保存された縦横比別のブラウザグラフィックのうち、前記（ｃ）ステップで抽出された縦横比情報に該当するブラウザグラフィックを選択するステップ、及び（ｅ）前記（ｄ）ステップで選択されたブラウザグラフィックを表示するステップから構成される。
【発明の効果】
【０００７】
本発明によれば、多様な縦横比を有するブラウザグラフィックを提供することによって、ブラウザグラフィックの歪曲を防止して、コンテンツ製作者の意図、ユーザーの意図、または再生装置の特性に符合するブラウザを表示可能にする。特に、多様な縦横比を有する再生装置で再生されるインタラクティブＤＶＤ用のブラウザに適用される場合、再生装置の種類に関係なく、常に画面の歪曲がない高品質の映像を提供できる。
【発明を実施するための最良の形態】
【０００８】
以下では、図面を参照して、本発明の望ましい実施形態を詳細に説明する。
【０００９】
図１は、本発明の一実施形態による縦横比別のブラウザグラフィック表示装置の構成図である。
【００１０】
縦横比別のブラウザグラフィック表示装置は、ブラウザグラフィック保存部１１、縦横比情報受信部１２、初期化ファイル完成部１３、初期化ファイル保存部１４、縦横比情報抽出部１５、再生命令受信部１６、ブラウザグラフィック選択部１７、及びブラウザグラフィック表示部１８から構成される。
【００１１】
ブラウザグラフィック保存部１１は、相異なる縦横比で表示されるブラウザに含まれるブラウザグラフィックであり、前記相異なる縦横比を有するブラウザグラフィックである縦横比別のブラウザグラフィックを保存する。ここで、ブラウザは、所定の対話形コンテンツをブラウジングするブラウザであり、ブラウザグラフィックとは、ブラウザに含まれたグラフィックであって、例えば、ＨＴＭＬの入力様式である＜ｆｏｒｍ＞タグで具現されるｓｕｂｍｉｔボタン、ｒｅｓｅｔボタン、ｃｈｅｃｋｂｏｘ、ｒａｄｉｏボタンなどをいう。前記対話形コンテンツは、ユーザーに対話形方式にＤＶＤ映像を制御するためのコンテンツをいい、ここでは、主にＤＶＤフォーラム（ｈｔｔｐ：／／ｗｗｗ．ｄｖｄｆｏｒｕｍ．ｏｒｇ）で提案されたＥＮＡＶ（エンハンストナビゲーション）を基準にした対話形コンテンツをいう。ブラウザが色々な縦横比を有する各種再生装置、例えば、１ｘ１縦横比を有するＰＣモニタ、４ｘ３縦横比を有する一般ＴＶ、１６ｘ９縦横比を有するワイドＴＶで表示されるとき、ＤＶＤ映像と同様にアナモルフィックなどの技法を使用して、再生装置の縦横比に変換されて表示される。この際、ＤＶＤ映像やブラウザの枠は、低密度の映像であるため、ある程度変形されてもユーザーが見るのに支障がない。しかし、ブラウザグラフィックは、数個ないし数十個の画素の集合により細密に表現される高密度の映像であり、縦横比が変わる場合、画素の形状も変わるので、ブラウザグラフィック上のテキストなどが歪曲されて、ユーザーにＤＶＤ映像が指向する高品質の映像を提供できなくなり、歪曲が激しい場合、見られなくなることもある。したがって、ブラウザ製作者は、ブラウザを製作するとき、予め一つのブラウザグラフィックに対して各縦横比による色々なブラウザグラフィック、すなわち縦横比別のブラウザグラフィックを製作して、コンテンツ製作者に提供せねばならない。例えば、ブラウザ製作者は、ＳＵＢＭＩＴボタンを縦横比別に１ｘ１  ＳＵＢＭＩＴボタン、４ｘ３  ＳＵＢＭＩＴボタン、１６ｘ９  ＳＵＢＭＩＴボタンに製作して、コンテンツ製作者に提供せねばならない。ブラウザグラフィック保存部１１は、このような縦横比別のブラウザグラフィックを保存する。一般的に、ブラウザを設置するとき、インターネットやＣＤ−ＲＯＭなどから縦横比別のブラウザグラフィックをダウンロードして、ハードディスクなどの再生装置内の不揮発性メモリに保存する。
【００１２】
初期化ファイル保存部１４は、所定の縦横比情報が含まれた初期化ファイルを保存する。ここで、初期化ファイルとは、対話形コンテンツの再生環境情報が含まれているファイルをいう。一般的に、初期化ファイルは、ｗｉｎ．ｉｎｉ，ｓｙｓｔｅｍ．ｉｎｉファイルのように．ｉｎｉという拡張子を使用し、アプリケーションやシステムが駆動可能に初期環境を設定する役割を行う。ここでは、対話形コンテンツの再生環境を設定する役割を行う。例えば、初期化ファイルは、ＤＶＤフォーラムの提案によるＥＮＡＶモードでユーザーに実際に見られるＥＮＡＶページが表示される前に、必要なパラメータを設定し、ブラウザに全体または一部のインタラクティブコンテンツに関する情報を提供する。縦横比情報は、次のような三つのルートを通じて得ることができる。
【００１３】
第１に、コンテンツ製作者が初期化ファイルを製作する当時に、デフォールトとして縦横比情報を含めて初期化ファイルを製作することである。すなわち、コンテンツ製作者は、ブラウザグラフィックが歪曲なしに表示可能に、製作当時に適用した縦横比情報を初期化ファイルに含め、ブラウザは、この縦横比情報を読み込み、読み込んだ縦横比に合うブラウザグラフィックを選択して画面に表示する。この場合、再生装置によって、ブラウザの縦横比が変更されるとしても、常に一定な縦横比のブラウザグラフィックが画面に表示される。
【００１４】
第２に、対話形コンテンツを使用しようとするユーザーから、縦横比情報を受信することである。すなわち、縦横比情報受信部１２は、対話形コンテンツを使用しようとするユーザーから縦横比情報を受信し、初期化ファイル完成部１３は、縦横比情報受信部１２で受信された縦横比情報を含んで、初期化ファイルを完成し、初期化ファイル保存部１４は、初期化ファイル完成部１３で完成された初期化ファイルを保存する。これは、ユーザーが一つの再生装置（例えば、ワイドＴＶ）で色々な表示モード、すなわち標準モード（縦横比４ｘ３）、ワイドモード（縦横比１６ｘ９）を選択できる趨勢を考慮したものであって、ユーザーが標準モードを選択したか、ワイドモードを選択したかによって、ブラウザグラフィックを選択して画面に表示する。
【００１５】
第３に、対話形コンテンツを再生しようとする再生装置から、プラグアンドプレイ方式で縦横比情報を受信することである。すなわち、縦横比情報受信部１２は、対話形コンテンツを再生しようとする再生装置から、プラグアンドプレイ方式で縦横比情報を受信し、初期化ファイル完成部１３は、縦横比情報受信部１２で受信された縦横比情報を含んで、初期化ファイルを完成し、初期化ファイル保存部１４は、初期化ファイル完成部１３で完成された初期化ファイルを保存する。これは、ブラウザが表示される色々な再生装置（例えば、ＰＣモニタ、一般ＴＶ、ワイドＴＶ）についての情報を、プラグアンドプレイ方式で自動に認知する現在の技術趨勢を考慮したものであって、ＰＣモニタが連結されたか、一般ＴＶが連結されたか、ワイドＴＶが連結されたかによって、ブラウザグラフィックを選択して画面に表示する。
【００１６】
一般的に、初期化ファイルには、ＨＴＭＬのようなマークアップ言語で作成されたマークアップ文書が記録されている。この場合、初期化ファイル保存部１４は、縦横比情報をメタタグの形式で含めて、マークアップ文書ファイルを保存できる。さらに、ＤＶＤフォーラム等に縦横比情報のみのための新たなタグが定義された場合、新たに定義されたタグの形式で含めて、マークアップ文書ファイルを保存できる。または、新たに定義された属性の形式やスクリプトの形式で含めて、マークアップ文書ファイルを保存することもできる。
【００１７】
縦横比情報抽出部１５は、初期化ファイル保存部１４に保存された初期化ファイルを解釈して、縦横比情報を抽出する。初期化ファイルがマークアップ文書ファイルである場合、ＤＯＭ（ドキュメントオブジェクトモデル）ツリー構築過程などを経て縦横比情報を抽出する。
【００１８】
再生命令受信部１６は、ユーザーから対話形コンテンツに対する再生命令を受信する。この際、縦横比情報抽出部１５は、再生命令受信部１６で再生命令が受信された場合、対話形コンテンツが再生される前に、保存された初期化ファイルを解釈して縦横比情報を抽出する。初期化ファイルの特性上、対話形コンテンツが再生される前に、保存された初期化ファイルを解釈して縦横比情報を抽出せねばならないためである。
【００１９】
ブラウザグラフィック選択部１７は、ブラウザグラフィック保存部１１に保存された縦横比別のブラウザグラフィックのうち、縦横比情報抽出部１５で抽出された縦横比情報に該当するブラウザグラフィックを選択する。ブラウザグラフィック表示部１８は、ブラウザグラフィック選択部１７で選択されたブラウザグラフィックを表示する。例えば、ブラウザグラフィック保存部１１に、１ｘ１  ＳＵＢＭＩＴボタン、４ｘ３  ＳＵＢＭＩＴボタン及び１６ｘ９  ＳＵＢＭＩＴボタンに対するグラフィックデータが保存されており、縦横比情報抽出部１５で抽出された縦横比情報が４ｘ３である場合、ブラウザグラフィック選択部１７は、４ｘ３  ＳＵＢＭＩＴボタンを選択し、ブラウザグラフィック表示部１８は、４ｘ３  ＳＵＢＭＩＴボタンを表示する。
【００２０】
図２は、本発明における初期化ファイルの一例であるマークアップ文書を示す図面である。図２に示すように、マークアップ文書は、ＨＴＭＬで作成され、縦横比情報がメタタグの形態に含まれている。＜ｍｅｔａ  ｎａｍｅ＝“ｃｏｎｔｅｎｔ＿ｒａｔｉｏ”ｃｏｎｔｅｎｔｓ＝“４ｘ３”／＞は、コンテンツの縦横比が４ｘ３であるということを示す。この縦横比は、コンテンツ製作者によりデフォールトとして設定されるか、またはユーザーまたは再生装置から得たものである。＜ｍｅｔａ  ｎａｍｅ＝“ｄｅｆａｕｌｔ＿ｌａｎｇｕａｇｅ”ｃｏｎｔｅｎｔｓ＝“Ｅｎｇｌｉｓｈ”／＞は、基本言語が英語であるということを示す。＜ｍｅｔａ  ｎａｍｅ＝“ｐａｒｅｎｔａｌ＿ｌｅｖｅｌ”ｃｏｎｔｅｎｔｓ＝“５”／＞は、コンテンツが５の観覧等級を有しているということを示す。この初期化ファイルは、本ファイルであるインタラクティブコンテンツが実行される前に先に実行されて、縦横比４ｘ３、基本言語英語、観覧等級５という環境下でインタラクティブコンテンツ、すなわちＤＶＤ映像と対話用ブラウザとが提供される。
【００２１】
図３は、本発明における縦横比別のブラウザグラフィックの一例である入力ボタンを示す図である。
【００２２】
ＨＴＭＬの入力ボタン３１には、ｓｕｂｍｉｔボタン、ｒｅｓｅｔボタンなどがあり、＜ｆｏｒｍ＞タグ内で＜ｉｎｐｕｔ＞タグを使用して設定する。例えば、＜ｉｎｐｕｔ  ｔｙｐｅ＝“ｓｕｂｍｉｔ”＞によりｓｕｂｍｉｔボタンが設定される。ｔｙｐｅの属性値、すなわちｓｕｂｍｉｔにするかは、ＨＴＭＬ文書製作者が設定する。
【００２３】
図３に示したテーブル３２は、縦横比による入力ボタン３１の形状に関する情報が収録されたテーブルである。これは、ブラウザ製作者により提供されねばならない。図３に示したテーブル３２には、縦横比が１ｘ１、４ｘ３、１６ｘ９、Ｎｏｎｅ（縦横比情報が与えられない場合、基本的に表示される入力ボタンのグラフィック情報である）によって、それぞれの上端余白、下端余白、左端余白、右端余白、内部高、及び内部幅の画素数が記録されている。内部幅は、ユーザーが入力したテキストの数により決定されるので、可変フィールドに設定する。コンテンツ製作者の製作意図、ユーザーの要求、または再生装置の種類によって、そのうち一つが選択されて表示される。
【００２４】
図４は、本発明における縦横比別のブラウザグラフィックの一例であるｃｈｅｃｋｂｏｘを示す図である。
【００２５】
ＨＴＭＬのｃｈｅｃｋｂｏｘ  ４１は、＜ｆｏｒｍ＞タグ内で＜ｉｎｐｕｔ＞タグを使用して設定する。例えば、＜ｉｎｐｕｔ  ｔｙｐｅ＝“ｃｈｅｃｋｂｏｘ”＞によりｃｈｅｃｋｂｏｘが設定される。ｔｙｐｅの属性値、すなわちｃｈｅｃｋｂｏｘにするかは、ＨＴＭＬ文書製作者が設定する。
【００２６】
図４に示したテーブル４２は、縦横比によるｃｈｅｃｋｂｏｘ  ４１の形状に関する情報が収録されたテーブルである。これは、ブラウザ製作者により提供されねばならない。図４に示したテーブル４２には、縦横比が１ｘ１、４ｘ３、１６ｘ９、Ｎｏｎｅ（縦横比情報が与えられない場合、基本的に表示されるｃｈｅｃｋｂｏｘのグラフィック情報である）によって、それぞれのボックス幅、ボックス高、上端余白、下端余白、左端余白、及び右端余白の画素数が記録されている。コンテンツ製作者の製作意図、ユーザーの要求、または再生装置の種類によって、そのうち一つが選択されて表示される。
【００２７】
図５は、本発明における縦横比別のブラウザグラフィックの一例であるｒａｄｉｏボタンを示す図である。
【００２８】
ＨＴＭＬのｒａｄｉｏボタン５１は、＜ｆｏｒｍ＞タグ内で＜ｉｎｐｕｔ＞タグを使用して設定する。例えば、＜ｉｎｐｕｔ  ｔｙｐｅ＝“ｒａｄｉｏ”＞によりｒａｄｉｏボタンが設定される。ｔｙｐｅの属性値、すなわちｒａｄｉｏにするかは、ＨＴＭＬ文書製作者が設定する。
【００２９】
図５に示したテーブル５２は、縦横比によるｒａｄｉｏボタン５１の形状に関する情報が収録されたテーブルである。これは、ブラウザ製作者により提供されねばならない。図５に示したテーブル５２には、縦横比が１ｘ１、４ｘ３、１６ｘ９、Ｎｏｎｅ（縦横比情報が与えられない場合、基本的に表示されるｒａｄｉｏボタンのグラフィック情報である）によって、それぞれのボタン幅、ボタン高、上端余白、下端余白、左端余白、及び右端余白の画素数が記録されている。コンテンツ製作者の製作意図、ユーザーの要求、または再生装置の種類によって、そのうち一つが選択されて表示される。
【００３０】
図６は、本発明における縦横比別のブラウザグラフィックの一例であるコンボボックス形態のスクロールボタンを示す図である。
【００３１】
ＨＴＭＬのコンボボックス形態のスクロールボタン６１は、＜ｆｏｒｍ＞タグ内で＜ｓｅｌｅｃｔ＞タグを使用して設定する。例えば、＜ｓｅｌｅｃｔ  ｎａｍｅ＝“ｘｘｘ”＞によりスクロールボタンが設定される。ｎａｍｅの属性値、すなわちどの領域に対する選択であるかは、ＨＴＭＬ文書製作者が設定する。そして、ｓｉｚｅ（画面に表れる項目の数）の属性値を設定しない場合のみに、選択項目が一つのみ表示されるコンボボックス形態のスクロールボタンが設定される。
【００３２】
図６に示したテーブル６２は、縦横比によるコンボボックス形態のスクロールボタン６１の形状に関する情報が収録されたテーブルである。これは、ブラウザ製作者により提供されねばならない。図６に示したテーブル６２には、縦横比が１ｘ１、４ｘ３、１６ｘ９、Ｎｏｎｅ（縦横比情報が与えられない場合、基本的に表示されるコンボボックス形態のスクロールボタンのグラフィック情報である）によって、それぞれの上端境界、下端境界、左端境界、右端境界、スクロールボタン幅、スクロールボタン高、及び内部幅の画素数が記録されている。内部幅は、ユーザーが入力したテキストの数により決定されるので、可変フィールドに設定する。この際、複数個の項目のテキストのうち、最も長いテキストの数により決定される。コンテンツ製作者の製作意図、ユーザーの要求、または再生装置の種類によって、そのうち一つが選択されて表示される。
【００３３】
図７は、本発明における縦横比別のブラウザグラフィックの一例であるリストボックス形態のスクロールボタンを示す図面である。
【００３４】
ＨＴＭＬのリストボックス形態のスクロールボタン７１は、＜ｆｏｒｍ＞タグ内で＜ｓｅｌｅｃｔ＞タグを使用して設定する。例えば、＜ｓｅｌｅｃｔ  ｎａｍｅ＝“ｃｏｌｏｕｒ”＞によりスクロールボタンが設定される。ｎａｍｅの属性値、すなわちどの領域に対する選択であるかは、ＨＴＭＬ文書製作者が設定する。そして、ｓｉｚｅ（画面に表れる項目の数）の属性値を２以上の値に設定する場合のみに、選択項目が２以上表示されるリストボックス形態のスクロールボタンが設定される。図７に示したリストボックス形態のスクロールボタン７１は、ｓｉｚｅの属性値を４としたものである。
【００３５】
図７に示したテーブル７２は、縦横比によるリストボックス形態のスクロールボタン７１の形状に関する情報が収録されたテーブルである。これは、ブラウザ製作者により提供されねばならない。図７に示したテーブル７２には、縦横比が１ｘ１、４ｘ３、１６ｘ９、Ｎｏｎｅ（縦横比情報が与えられない場合、基本的に表示されるリストボックス形態のスクロールボタンのグラフィック情報である）によって、それぞれの上端境界、下端境界、左端境界、右端境界、垂直スクロールバー幅、内部高、及び内部幅の画素数が記録されている。内部幅は、ユーザーが入力したテキストの数により決定されるので、可変フィールドに設定する。この際、複数個の項目のテキストのうち、最も長いテキストの数により決定される。また、内部高も、コンテンツ製作者が入力したｓｉｚｅの属性値により決定されるので、可変フィールドに設定する。コンテンツ製作者の製作意図、ユーザーの要求、または再生装置の種類によって、そのうち一つが選択されて表示される。
【００３６】
図８は、本発明における縦横比別のブラウザグラフィックの一例であるテキスト窓を示す図である。
【００３７】
ＨＴＭＬのテキスト窓８１は、＜ｆｏｒｍ＞タグ内で＜ｉｎｐｕｔ＞タグを使用して設定する。例えば、＜ｉｎｐｕｔ  ｔｙｐｅ＝“ｔｅｘｔ”＞によりテキスト窓が設定される。ｔｙｐｅの属性値、すなわちテキスト窓にするかは、ＨＴＭＬ文書製作者が設定する。
【００３８】
図８に示したテーブル８２は、縦横比によるテキスト窓８１の形状に関する情報が収録されたテーブルである。これは、ブラウザ製作者により提供されねばならない。図８に示したテーブル８２には、縦横比が１ｘ１、４ｘ３、１６ｘ９、Ｎｏｎｅ（縦横比情報が与えられない場合、基本的に表示されるテキスト窓のグラフィック情報である）によって、それぞれの上端境界、下端境界、左端境界、右端境界、内部高、及び内部幅の画素数が記録されている。内部幅は、ユーザーが入力したテキストの数により決定されるので、可変フィールドに設定する。また、内部高は、使われたフォントの高さにより決定される。コンテンツ製作者の製作意図、ユーザーの要求、または再生装置の種類によって、そのうち一つが選択されて表示される。
【００３９】
図９は、本発明における縦横比別のブラウザグラフィックの一例であるテキスト領域窓を示す図である。
【００４０】
ＨＴＭＬのテキスト領域窓９１は、＜ｆｏｒｍ＞タグ内で＜ｔｅｘｔａｒｅａ＞タグを使用して設定する。例えば、＜ｔｅｘｔａｒｅａ  ｒｏｗｓ＝“８”ｃｏｌｓ＝“４０”ｎａｍｅ＝“ｔｅｘｔ”＞によりテキスト入力窓が設定される。ｔｙｐｅの属性値、すなわちテキスト領域窓にするかは、ＨＴＭＬ文書製作者が設定する。
【００４１】
図９に示したテーブル９２は、縦横比によるテキスト領域窓９１の形状に関する情報が収録されたテーブルである。これは、ブラウザ製作者により提供されねばならない。図９に示したテーブル９２には、縦横比が１ｘ１、４ｘ３、１６ｘ９、Ｎｏｎｅ（縦横比情報が与えられない場合、基本的に表示されるテキスト領域窓のグラフィック情報である）によって、それぞれのスクロールバー幅、上端境界、下端境界、左端境界、右端境界、内部高、及び内部幅の画素数が記録されている。内部幅は、ユーザーが入力したテキスト領域の列値により決定されるので、可変フィールドに設定する。また、内部高は、ユーザーが入力したテキスト領域の行値により決定されるので、可変フィールドに設定する。
【００４２】
図１０は、本発明の一実施形態による縦横比別のブラウザグラフィック表示方法のフローチャートである。
【００４３】
縦横比別のブラウザグラフィック表示方法は、次のような順序によって処理される。
【００４４】
相異なる縦横比で表示されるブラウザに含まれるブラウザグラフィックであり、相異なる縦横比を有するブラウザグラフィックである縦横比別のブラウザグラフィックを保存する（１０１）。ここで、ブラウザは、所定の対話形コンテンツをブラウジングするブラウザである。次いで、対話形コンテンツを製作した製作者により設定された縦横比情報がデフォールトとして含まれた初期化ファイルを保存する（１０４）。または、対話形コンテンツを使用しようとするユーザーから縦横比情報を受信し（１０２）、受信された縦横比情報を含んで、初期化ファイルを完成し（１０３）、完成された初期化ファイルを保存する（１０４）。または、対話形コンテンツを再生しようとする再生装置から、プラグアンドプレイ方式で縦横比情報を受信し（１０２）、受信された縦横比情報を含んで、初期化ファイルを完成し（１０３）、完成された初期化ファイルを保存する（１０４）。
【００４５】
ここで、初期化ファイルは、対話形コンテンツの再生環境情報を含む初期化ファイルである。もし、初期化ファイルがマークアップ文書ファイルである場合であれば、縦横比情報がメタタグの形式で、新たに定義されたタグの形式で、新たに定義された属性の形式で、またはスクリプトの形式で含まれたマークアップ文書ファイルを保存する（１０４）。次いで、ユーザーから対話形コンテンツに対する再生命令を受信し（１０６）、再生命令が受信された場合（１０７）、対話形コンテンツが再生される前に、保存された初期化ファイルを解釈して縦横比情報を抽出する（１０５）。次いで、保存された縦横比別のブラウザグラフィックのうち、抽出された縦横比情報に該当するブラウザグラフィックを選択する（１０８）。次いで、選択されたブラウザグラフィックを表示する（１０９）。
【００４６】
一方、前述した本発明の実施形態は、コンピュータで実行できるプログラムで完成可能であり、コンピュータで読み取り可能な記録媒体を利用して、前記プログラムを動作させる汎用デジタルコンピュータで具現されうる。
【００４７】
前記コンピュータで読み取り可能な記録媒体は、磁気記録媒体（例えば、ＲＯＭ、フロッピー（登録商標）ディスク、ハードディスク等）、光学的読み取り媒体（例えば、ＣＤ−ＲＯＭ、ＤＶＤ等）及びキャリアウェーブ（例えば、インターネットを通じた伝送）のような記録媒体を含む。
【００４８】
これまで、本発明について、望ましい実施形態を中心に述べた。当業者は、本発明が、本発明の本質的な特性から逸脱しない範囲で、変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれていると解釈されねばならない。
【産業上の利用可能性】
【００４９】
本発明は、ブラウザに含まれたグラフィックを表示するコンピュータのような装置に適用可能である。
【図面の簡単な説明】
【００５０】
【図１】本発明の一実施形態による縦横比別のブラウザグラフィック表示装置の構成図である。
【図２】本発明における初期化ファイルの一例であるマークアップ文書を示す図である。
【図３】本発明における縦横比別のブラウザグラフィックの一例である入力ボタンを示す図である。
【図４】本発明における縦横比別のブラウザグラフィックの一例であるｃｈｅｃｋｂｏｘを示す図である。
【図５】本発明における縦横比別のブラウザグラフィックの一例であるｒａｄｉｏボタンを示す図である。
【図６】本発明における縦横比別のブラウザグラフィックの一例であるコンボボックス形態のスクロールボタンを示す図である。
【図７】本発明における縦横比別のブラウザグラフィックの一例であるリストボックス形態のスクロールボタンを示す図である。
【図８】本発明における縦横比別のブラウザグラフィックの一例であるテキスト窓を示す図である。
【図９】本発明における縦横比別のブラウザグラフィックの一例であるテキスト領域窓を示す図である。
【図１０】本発明の一実施形態による縦横比別のブラウザグラフィック表示方法のフローチャートである。
【図１】
2006519435.tif 000003
【図２】
2006519435.tif 000004
【図３】
2006519435.tif 000005
【図４】
2006519435.tif 000006
【図５】
2006519435.tif 000007
【図６】
2006519435.tif 000008
【図７】
2006519435.tif 000009
【図８】
2006519435.tif 000010
【図９】
2006519435.tif 000011
【図１０】
2006519435.tif 000012
【国際調査報告】
2006519435.tif 000013
2006519435.tif 000014